(57)【要約】【課題】シーソーツマミと隣接する部品との間のクリアランスを小さくして高い意匠性を実現できるシーソーツマミ構造を提供する。【解決手段】揺動部２５の中央から揺動部２５の一方の端部の間を第１の半径Ｒ１とする第１回転中心Ｍが形成されており、その揺動部２５は、第１回転中心Ｍを支点に第１の半径Ｒ１で回転することにより当該揺動部２５の他端側が他の部材と当接し、その当接位置から揺動部２５の一方の端部までの間を、第１の半径Ｒ１よりも大きな第２の半径Ｒ２とする第２回転中心Ｎが形成され、押圧操作を行う際に、揺動部２５は第１回転中心Ｍを中心として回転された後、第２回転中心Ｎを中心とする回転に切り替えられるシーソーツマミ構造とする。【選択図】  図４
2010165608.tif 000002
【特許請求の範囲】
【請求項１】
揺動部の中央から上記揺動部の一方の端部の間を第１の半径とする第１回転中心が形成されており、
上記揺動部は、上記第１回転中心を支点に第１の半径で回転することにより当該揺動部の他端側が他の部材と当接し、その当接位置から上記揺動部の上記一方の端部までの間を、上記第１の半径よりも大きな第２の半径とする第２回転中心が形成され、
押圧操作を行う際に、上記揺動部は上記第１回転中心を中心として回転された後、第２回転中心を中心とする回転に切り替えられることを特徴とするシーソーツマミ構造。
【請求項２】
前記揺動部の両端部の中央には、突出部分が設けられていて、この突出部分には、当該突出部分を貫く係合孔が形成されていて、この係合孔は、楕円状孔に形成されると共に、この係合孔には断面略円形状の係合軸が挿入され、当該係合軸は前記他の部材と一体的に固定されている、ことを特徴とする請求項１に記載のシーソーツマミ構造。
【発明の詳細な説明】
【技術分野】
【０００１】
本発明は、電子機器などに好適に用いられるシーソーツマミ構造に関する。
【背景技術】
【０００２】
従来から、電子機器の操作または設定を行う場合にスイッチ装置を用いている。一般的なスイッチ装置としては、例えば、操作面を押圧して内部接点をオン／オフするプッシュスイッチ、操作面を回転させて回転することにより操作量または位置を選択するボリュームスイッチ、または操作面の一端部を押圧することによりその位置に対応する内部接点を選択的にオン／オフするシーソーツマミ構造を有するシーソースイッチなどのスイッチ装置が知られている。用途に応じて上述のようなスイッチ装置を適切に選択して利用される。
【０００３】
特に、シーソーツマミ構造は、２つ以上の操作機能を選択的に実行させることができ、また操作面の操作状態の判断が容易であるため、各種の電子機器に設置され、幅広く利用されている。その構造について、図５〜図７に基づいて説明する。
【０００４】
図５は、従来のシーソーツマミ構造が採用されているオーディオ機器１００の一部の正面図を示す図である。図６は、図５中のオーディオ機器１００をＡ−Ａ線で切断した断面図であり、従来のシーソーツマミ構造を示す概略図である。図７は、従来のシーソーツマミ構造に押圧力をかけた状態を示す概略図である。
【０００５】
図５および図６に示すオーディオ機器１００は、基板（図示せず）に設けられた一対のスイッチ回路１２０と、ベースパネル１０１とフロントグラス１０２とから構成され、窓部を有するパネル部材１１０と、上述の窓部から露出するシーソーツマミ１１５と、を少なくとも備えている。シーソーツマミ１１５は、スイッチ回路１２０を押圧する押圧部１１７を有すると共に両端部が選択的に押圧操作される揺動部１１８を備える。また、揺動部１１８の両端部の中央かつ図６において左側に突出部分が存在しており、その突出部分には係合孔１５０が設けられている。この係合孔１５０にパネル部材１１０の内部に設けられた係合軸が係合することにより、係合する位置から揺動部１１８の一方の端部までの半径Ｒ１を有する回転中心Ｍが形成されている。
【０００６】
また、図７に示すように、シーソーツマミ１１５の押圧操作を行う際に、揺動部１１８の一方の端部に押圧力をかけると、当該端部を半径Ｒ１とする回転中心に回転して変位する。このため、端部の裏面にある押圧部１１７の先端側がスイッチ回路１２０を押圧して、スイッチ回路１２０の接点がオンとなる。
【０００７】
このようなシーソーツマミ構造と類似の構造を開示した先行技術文献としては、例えば、特許文献１が知られている。
【先行技術文献】
【特許文献】
【０００８】
【特許文献１】特開２００８−１４７０３９号公報（特許請求の範囲,図１,図２）
【発明の概要】
【発明が解決しようとする課題】
【０００９】
しかしながら、上述の従来のシーソーツマミには、次のような問題がある。前記のようなシーソーツマミ構造では、シーソーツマミの両端部を押圧する際の両端部の移動量を確保するため、シーソーツマミの両端部と隣接する部品、例えば、フロントグラスとの間に所定のクリアランスを設けることが必要となる。図７に示すように、一方の端部を半径Ｒ１とする回転中心に回転して変位する場合、シーソーツマミはフロントグラスに０．４ｍｍ接近する。つまり、シーソーツマミは隣接する部品と０．４ｍｍ以上のクリアランスを取る必要がある。これによって、シーソーツマミと隣接する部品との間のクリアランスを小さくすることができないという問題が生じる。この結果、電子機器の意匠デザインに悪影響を及ぼすことになる。
【００１０】
本発明は、上記のような問題を解決するためになされたものであって、その目的とするところは、シーソーツマミと隣接する部品との間のクリアランスを小さくして高い意匠性を実現できるシーソーツマミ構造を提供することにある。
【課題を解決するための手段】
【００１１】
上記目的を達成するため、本発明は、揺動部の中央から揺動部の一方の端部の間を第１の半径とする第１回転中心が形成されており、その揺動部は、第１回転中心を支点に第１の半径で回転することにより当該揺動部の他端側が他の部材と当接し、その当接位置から揺動部の一方の端部までの間を、第１の半径よりも大きな第２の半径とする第２回転中心が形成され、押圧操作を行う際に、揺動部は第１回転中心を中心として回転された後、第２回転中心を中心とする回転に切り替えられるシーソーツマミ構造としている。
【００１２】
また、別の本発明は、先の発明において、揺動部の両端部の中央には、突出部分が設けられていて、この突出部分には、当該突出部分を貫く係合孔が形成されていて、この係合孔は、楕円状孔に形成されると共に、この係合孔には断面略円形状の係合軸が挿入され、当該係合軸は他の部材と一体的に固定されているシーソーツマミ構造としている。
【発明の効果】
【００１３】
本発明によれば、シーソーツマミと隣接する部品との間のクリアランスを小さくして高い意匠性を実現できるシーソーツマミ構造を提供することができる。
【図面の簡単な説明】
【００１４】
【図１】本発明に一実施の形態に係るシーソーツマミ構造を採用しているオーディオ機器の一部の正面図である。
【図２】図１中のオーディオ機器をＡ−Ａ線で切断した断面の概略図である。
【図３】本発明に一実施の形態に係るシーソーツマミ構造の動作を説明するための図である。
【図４】本発明に一実施の形態に係るシーソーツマミ構造の動作を説明するための図である。
【図５】従来のシーソーツマミ構造が採用されているオーディオ機器の一部の正面図を示す図である。
【図６】図５中のオーディオ機器をＡ−Ａ線で切断した断面図であり、従来のシーソーツマミ構造を示す概略図である。
【図７】従来のシーソーツマミ構造に押圧力をかけた状態を示す概略図である。
【発明を実施するための形態】
【００１５】
以下、本発明に一実施の形態に係るシーソーツマミ構造について、図面を参照しながら詳しく説明する。なお、以下の説明において、図２〜図４中の矢示Ｙ１が指す方向を「上方」といい、矢示Ｙ２が指す方向を「下方」というものとし、また、矢示Ｘ２が指す方向を「左側」といい、矢示Ｘ１が指す方向を「右側」というものとする。ただし、本発明は、以下に説明する実施の形態に何ら限定されるものではない。  
【００１６】
図１は、本発明に一実施の形態に係るシーソーツマミ構造を採用しているオーディオ機器１の一部の正面図である。図２は、図１中のオーディオ機器１をＡ−Ａ線で切断した断面の概略図である。
【００１７】
図１および図２に示すように、本実施の形態では、オーディオ機器１は、操作パネル１０を備えている。操作パネル１０は、ベースパネル１１とフロントグラス１２とからなるパネル部材１５と、このパネル部材１５に設けられる窓部から露出するシーソーツマミ１６と、パネル部材１５の裏面側に配設されるプリント回路基板（図示せず）とを備えている。プリント回路基板には、スイッチ素子からなるスイッチ回路３０が設けられ、このスイッチ回路３０がシーソーツマミ１６の操作によって開閉されるようになっている。
【００１８】
シーソーツマミ１６は、スイッチ回路３０を押圧する押圧部２１と、正面から見て略半月形の平面形状の操作面２２を有し、さらに操作面２２の上側と下側の両端部（ａ，ｂ）が選択的に押圧操作できる揺動部２５と、を備えている。また、揺動部２５の上下側の両端部（ａ，ｂ）の中央に対応する位置からは、図２において左側に向かって突出部分が突出している。この突出部分には、ＸＹ平面と直交する向きを中心軸とする係合孔５０が設けられていて、当該係合孔５０にパネル部材１５の内部の相応位置に設けられた係合軸が係合している。これによって、係合軸が係合する位置から揺動部２５の上下側の両端部（ａ，ｂ）の一方の端部までの距離が第１の半径Ｒ１である第１回転中心Ｍが形成されている。
【００１９】
ここで、図２等に示すように、係合孔５０は、長孔形状に設けられている。一方、係合軸は、断面略円形状に設けられていて、長孔形状の係合孔５０の内部を移動可能としている。すなわち、シーソーツマミ１６が後述する第２回転中心Ｎを中心として回転する場合、当該シーソーツマミ１６の所定角度範囲の回転を許容できるように、係合孔５０は長孔形状に形成されている。
【００２０】
なお、シーソーツマミ１６は、係合軸が図２において係合孔５０の左側の端部に位置するように、不図示の板バネやクッションなどで位置決めされている。そのため、係合軸が図２において係合孔５０の左側の端部に位置しているときが、第１回転中心Ｍに対応している。
【００２１】
また、揺動部２５の操作面２２の上下側の両端部（ａ，ｂ）よりも、図２において左側の部位（周縁面１７，１８よりも左側の部位）には、上側または下側に向かってそれぞれ延出するフランジ４０が設けられている。後述するように、揺動部２５が回転を行う際に、上側または下側のフランジ４０は、同じ側のフロントグラス１２の裏側に当接する。それによって、当接されたフランジ４０の端部（ｅ，ｆ）から揺動部２５の反対側の端部（ｂ，ａ）までの間を第２の半径Ｒ２とする（前述した第１の半径Ｒ１よりも大きな第２の半径Ｒ２を有する）第２回転中心Ｎが形成される。
【００２２】
シーソーツマミ１６は、合成樹脂材料を用いて揺動部２５と押圧部２１とを一体成型して形成される。合成樹脂材料としては、ポリエチレンテレフタレート樹脂（ＰＥＴ）を好適に用いることができる。ただし、ポリエチレンテレフタレート樹脂（ＰＥＴ）以外の樹脂、例えば、ポリカーボネート樹脂（ＰＣ）、ポリプロピレン樹脂（ＰＰ）、ポリメチルメタクリレート樹脂（ＰＭＭＡ）、ＭＳ樹脂、アクリル樹脂など樹脂を用いても良い。また、シーソーツマミ１６の操作面２２の正面形状は、特に上記の略半月形状に限定されることなく、必要なデザインに応じてシーソーツマミ１６の操作面２２の形状を変えるのが好ましい。
【００２３】
図３および図４は、本発明に一実施の形態に係るシーソーツマミ構造の動作を説明するための図である。これら図３、図４に加え、図２に基づいて、本発明に一実施の形態に係るシーソーツマミ構造の動作について説明する。
【００２４】
シーソーツマミ１６に押圧力がかけられていない状態では、図２に示すように、シーソーツマミ１６の各押圧部２１は、プリント回路基板に設けられたスイッチ回路３０に当接していない。この結果、スイッチ回路３０がオフとなっている。
【００２５】
図２に示すシーソーツマミ１６の揺動部２５の上側に押圧力をかけると、図３に示すように、上側の端部（ａ）は、第１回転中心Ｍを支点に第１の半径Ｒ１で下方に向かって回転する。
【００２６】
一方、シーソーツマミ１６の下側のフランジ４０の端部（ｆ）は、第１回転中心Ｍを支点に第１の半径Ｒ１で右方に向かって回転し、その回転によりフロントグラス１２の窓部の外周部の裏側と当接する。すなわち、フランジ４０の端部（ｆ）と当接したフロントグラス１２の窓部の外周部の裏側における位置Ｎ（図４参照）は、シーソーツマミ１６の上側の端部（ａ）が第１の半径Ｒ１で左方に向かう回転動作（第１回転動作）を受け止めている。
【００２７】
この第１回転動作の後に揺動部２５の上側がさらに押圧されると、図４に示すように、押圧されたシーソーツマミ１６の上側の端部（ａ）は、第２回転中心Ｎを支点として、第１の半径Ｒ１よりも大きな第２の半径Ｒ２で左方に向かって回転する。このとき、係合軸は、係合孔５０の左側の端部から右側の端部に向かって移動する。その後、シーソーツマミ１６の押圧部２１はスイッチ回路３０に接触し、スイッチ回路３０がオンとなる。これによって、シーソーツマミ１６の動作が止まる。
【００２８】
以上説明したように、本実施形態では、シーソーツマミ１６には、端部（ａ）または端部（ｂ）までの距離が第１の半径Ｒ１となる第１回転中心Ｍと、端部（ａ）または端部（ｂ）までの距離が第１の半径Ｒ１よりも大きな第２の半径Ｒ２となる第２回転中心Ｎがそれぞれ設けられ、シーソーツマミ１６の揺動部２５の上側または下側を押圧操作すると、揺動部２５の端部（ａ）または端部（ｂ））が第１回転中心Ｍを支点に第１の半径Ｒ１で回転された後、第２の半径Ｒ２で第２回転中心Ｎを中心とする回転に切り替えられる。このため、シーソーツマミ１６の上側の端部（ａ）または下側の端部（ｂ）が、フロントグラス１２に近接する向きの移動量を小さくすることができる。
【００２９】
すなわち、揺動部２５の上下の両端部（ａ，ｂ）の中央かつ左方に設けられた回転中心Ｍのみを有する従来構造と比べ、シーソーツマミ１６の回転途中から、その揺動半径を大きくすることができるとともに、シーソーツマミ１６の回転途中から、シーソーツマミ１６が回転する角度を小さくすることができる。このため、シーソーツマミ１６を押圧操作したときに、上下方向に向かう端部（ａ）または端部（ｂ）の移動距離が小さくなる。換言すれば、シーソーツマミ１６の回転軌跡が押圧操作方向と平行な直線に近づくことになり、シーソーツマミ１６の上下側の両端部（ａ，ｂ）の周縁とフロントグラス１２との間のクリアランスを従来よりも小さくすることができる。本実施の形態では、シーソーツマミ１６は隣接するフロントグラス１２に０．２ｍｍ接近する。つまり、シーソーツマミ１６は、隣接するフロントグラス１２と０．２ｍｍ以上のクリアランスを取る必要がある。従って、従来の回転中心Ｍを支点として半径Ｒ１で回転するシーソーツマミ構造（従来例では、シーソーツマミはフロントグラスに０．４ｍｍ接近する）に比べ０．２ｍｍ改善されている。ただし、必要な電子機器のデザインに応じて第１の半径Ｒ１と第２の半径Ｒ２を適宜に調整しても良い。その結果、本発明に係る省クリアランスシーソーツマミ構造を含んだ電子機器の美観を向上させることができる。
【００３０】
以上、本発明に係るシーソーツマミ構造の実施の形態について説明したが、本発明に係るシーソーツマミ構造は、上述の実施の形態に限定されず、種々変形した形態にて実施可能である。
【００３１】
例えば、シーソーツマミ１６の操作面２２の形状は、上記実施形態で示したように半月状である必要はなく、円形状、楕円形状あるいは矩形状とすることも可能であり、また、選択的に押圧操作される端部も長手方向に限らず短辺方向とすることも可能である。
【００３２】
また、上述の実施の形態では、単一の本発明の実施の形態に係るシーソーツマミ構造からなる操作部にシーソーツマミ１６を配設した形態を示したが、この形態に限らず、シーソーツマミ１６を複数で配設する際にも本発明のシーソーツマミ構造を採用することは可能である。また、スイッチ回路３０のオンとオフの関係を逆にすることも可能であり、さらに一度押したときはオンで二度目押したときにはオフとする等、オンとオフとの間の切り替えを種々設定することも勿論可能である。
【００３３】
また、上述の実施の形態では、オーディオ機器の操作部に本発明の実施の形態に係るシーソーツマミ構造を採用しているが、これに限定されず、他の電子機器の操作部の部材として採用しても良い。
【００３４】
また、本発明の実施の形態に係るシーソーツマミ構造と他のプッシュ構造とを整列して多連型複合スイッチを形成しても良い。
【産業上の利用可能性】
【００３５】
本発明は、各種の電気機器等使用されるシーソーツマミ構造を製造あるいは使用する産業において利用することができる。
【符号の説明】
【００３６】
１        オーディオ機器
１０        操作パネル
１１        ベースパネル
１２        フロントグラス
１５        パネル部材
１６        シーソーツマミ
１７，１８  周縁面
２１        押圧部
２２        操作面
２５        揺動部
３０        スイッチ回路
４０        フランジ
５０        係合孔
Ｒ１        第１の半径
Ｒ２        第２の半径
Ｍ          第１回転中心
Ｎ          第２回転中心
【図１】
2010165608.tif 000003
【図２】
2010165608.tif 000004
【図３】
2010165608.tif 000005
【図４】
2010165608.tif 000006
【図５】
2010165608.tif 000007
【図６】
2010165608.tif 000008
【図７】
2010165608.tif 000009